(57)【要約】【課題】迅速な媒体の返却と騒音の低減とを両立し得るようにする。【解決手段】紙幣処理装置１では、第２出金部１４の第２集積空間５２に入金リジェクト紙幣がある場合のみ第２シャッタ５３を開放状態とし、これ以外の場合に該第２シャッタ５３を閉塞状態とする。これにより紙幣処理装置１では、第２集積空間５２から入金リジェクト紙幣を直ちに取り出させることと、第２シャッタ５３をできるだけ閉塞して騒音を極力抑えることとを、高い次元で両立させることができる。【選択図】図５
2018205821.tif 000002
【特許請求の範囲】
【請求項１】
媒体を取り込む取込部と、
前記媒体を搬送する搬送部と、
前記搬送部により搬送された前記媒体を鑑別する鑑別部と、
前記媒体を集積する集積空間と、前記搬送部から受け取った前記媒体を前記集積空間に放出する放出部と、前記集積空間を外部に開放した開放状態又は前記集積空間を外部から閉塞した閉塞状態に遷移するシャッタとを有する排出部と、
前記取込部により前記媒体を取り込む取込動作中において、前記鑑別部により異常と鑑別されたリジェクト媒体を前記搬送部により前記排出部へ搬送させ、該排出部において前記シャッタを前記閉塞状態として前記放出部により前記集積空間に前記リジェクト媒体を放出した後、前記シャッタを前記開放状態に遷移させ又は前記開放状態へ遷移可能な状態とするよう制御する制御部と
を具えることを特徴とする媒体処理装置。
【請求項２】
前記排出部は、前記シャッタを駆動して前記開放状態又は前記閉塞状態に遷移させる駆動部をさらに有し、
前記制御部は、該排出部において前記シャッタを前記閉塞状態として前記放出部により前記集積空間に前記リジェクト媒体を放出した後、前記駆動部により前記シャッタを前記開放状態に遷移させるよう制御する
ことを特徴とする請求項１に記載の媒体処理装置。
【請求項３】
前記排出部は、前記集積空間内における前記媒体の有無を検出する残留センサをさらに有し、
前記制御部は、前記駆動部により前記シャッタを前記開放状態に遷移させた後、前記残留センサにより前記リジェクト媒体が前記集積空間から取り出されたことを検出した場合、前記駆動部により前記シャッタを前記閉塞状態に遷移させるよう制御する
ことを特徴とする請求項２に記載の媒体処理装置。
【請求項４】
前記排出部は、前記放出部から放出された前記媒体と衝突すると共に衝撃を吸収するビルストッパをさらに有し、
前記排出部の前記シャッタは、前記ビルストッパが設けられた部分である第１部分シャッタと、該第１部分シャッタ以外の第２部分シャッタとにより構成され、
前記駆動部は、前記第２部分シャッタを駆動して前記開放状態又は前記閉塞状態に遷移させる
ことを特徴とする請求項２に記載の媒体処理装置。
【請求項５】
前記搬送部により搬送された前記媒体を収納し、又は収納している前記媒体を繰り出して前記搬送部に引き渡す媒体収納庫
をさらに具え、
前記駆動部は、前記第２部分シャッタ及び前記第１部分シャッタをそれぞれ駆動して前記開放状態又は前記閉塞状態に遷移させ、
前記制御部は、前記取込動作中に前記シャッタを前記開放状態に遷移させる場合には前記第２部分シャッタのみを駆動して前記開放状態に遷移させ、前記媒体収納庫に収納されている前記媒体を前記排出部から排出する排出動作中に前記シャッタを前記開放状態に遷移させる場合には、前記第２部分シャッタ及び前記第１部分シャッタの双方を前記開放状態に遷移させる
ことを特徴とする請求項４に記載の媒体処理装置。
【請求項６】
前記シャッタは、使用者により手動で前記開放状態又は前記閉塞状態へ遷移され、
前記排出部は、前記シャッタを前記閉塞状態に維持する閉塞維持状態と当該シャッタを前記閉塞状態から前記開放状態への遷移を許容する開放許容状態とを切り替える維持切替部をさらに有し、
前記制御部は、前記排出部において前記シャッタを前記閉塞状態とし且つ前記維持切替部を前記閉塞維持状態として前記放出部により前記集積空間に前記リジェクト媒体を放出した後、前記維持切替部を前記開放許容状態に切り替えて前記シャッタを前記開放状態へ遷移可能な状態とするよう制御する
ことを特徴とする請求項１に記載の媒体処理装置。
【発明の詳細な説明】
【技術分野】
【０００１】
本発明は媒体処理装置に関し、例えば金融機関の窓口に設置され、媒体としての紙幣に関する取引処理を行う紙幣処理装置（いわゆるテラーマシン）に適用して好適なものである。
【背景技術】
【０００２】
従来、紙幣処理装置としては、金融機関において職員（いわゆるテラー）や顧客等の使用者に操作されることにより、使用者との間で現金の入金や出金等のような種々の取引処理を行うものが広く普及している。
【０００３】
紙幣処理装置には、例えば使用者から紙幣を受け取る入金部、使用者に紙幣を引き渡す出金部、紙幣を所定の搬送路に沿って搬送する搬送部、紙幣を鑑別する鑑別部、紙幣を一時的に保留する一時保留部、及び紙幣を収納する紙幣収納庫等が設けられている。
【０００４】
紙幣処理装置としては、例えば入金取引を行う場合、使用者により入金部に投入された紙幣を１枚ずつに分離して取り込み、これを搬送して鑑別部により鑑別し、正常な紙幣を一時保留部へ搬送して保留させる一方、異常と鑑別された入金リジェクト紙幣を出金部へ搬送して使用者に返却するものが提案されている（例えば、特許文献１参照）。
【先行技術文献】
【特許文献】
【０００５】
【特許文献１】特開２０１４−２６５００号公報（図１）
【発明の概要】
【発明が解決しようとする課題】
【０００６】
ところで紙幣処理装置では、入金取引において入金リジェクト紙幣として使用者に返却された紙幣が、入金部における分離の不良や搬送部における搬送の不良等が原因であった場合、紙幣そのものは正常である可能性が高い。このような場合、使用者はこの紙幣を他の紙幣と同様に現在の入金取引において紙幣処理装置に入金するべく、この紙幣を直ちに入金部に再投入することにより、正常な紙幣として取り扱われることを希望する場合が多い。
【０００７】
そこで紙幣処理装置では、入金取引の開始と共に出金部に設けられているカバーを開放することにより、入金リジェクト紙幣が発生して出金部に搬送された場合に、使用者にこの紙幣を直ちに取り出させて入金部に直ちに再投入させることが可能となる。
【０００８】
しかしながら紙幣処理装置では、出金部のカバーを開放した場合、出金部に接続されている搬送路等を介して、筐体内に組み込まれているモータの動作音や紙幣の搬送に伴って発生する走行音等の騒音が外部に伝達されてしまう。すなわち紙幣処理装置では、入金取引において出金部のカバーを開放した場合、入金リジェクト紙幣を使用者に迅速に返却できる反面、騒音が増加してしまう、という問題があった。
【０００９】
本発明は以上の点を考慮してなされたもので、迅速な媒体の返却と騒音の低減とを両立し得る媒体処理装置を提案しようとするものである。
【課題を解決するための手段】
【００１０】
かかる課題を解決するため本発明の媒体処理装置においては、媒体を取り込む取込部と、媒体を搬送する搬送部と、搬送部により搬送された媒体を鑑別する鑑別部と、媒体を集積する集積空間と、搬送部から受け取った媒体を集積空間に放出する放出部と、集積空間を外部に開放した開放状態又は集積空間を外部から閉塞した閉塞状態に遷移するシャッタとを有する排出部と、取込部により媒体を取り込む取込動作中において、鑑別部により異常と鑑別されたリジェクト媒体を搬送部により排出部へ搬送させ、該排出部においてシャッタを閉塞状態として放出部により集積空間にリジェクト媒体を放出した後、シャッタを開放状態に遷移させ又は開放状態へ遷移可能な状態とするよう制御する制御部とを設けるようにした。
【００１１】
本発明は、取込動作中にリジェクト媒体が排出部の集積空間に放出されるまでの間、シャッタを閉塞しておくため、その間に装置内部で発生する騒音が集積空間から外部に漏れることを防止できる。その一方で本発明は、リジェクト媒体が排出部の集積空間に放出されると、直ちにシャッタを開放状態に遷移させるため、直ちにこのリジェクト媒体を取り出させることができる。
【発明の効果】
【００１２】
本発明によれば、迅速な媒体の返却と騒音の低減とを両立し得る媒体処理装置を実現できる。
【図面の簡単な説明】
【００１３】
【図１】紙幣処理装置の全体構成を示す略線図である。
【図２】受渡部の構成を示す略線図である。
【図３】紙幣処理装置の回路構成を示す略線的ブロック図である。
【図４】入金処理手順を示すフローチャートである。
【図５】第１の実施の形態における出金シャッタ制御処理手順を示すフローチャートである。
【図６】第２の実施の形態による第２出金部の構成を示す略線図である。
【図７】第２の実施の形態における出金シャッタ制御処理手順を示すフローチャートである。
【図８】第３の実施の形態による第２出金部の構成を示す略線的斜視図である。
【図９】第４の実施の形態による第２出金部の構成を示す略線的斜視図である。
【発明を実施するための形態】
【００１４】
以下、発明を実施するための形態（以下実施の形態とする）について、図面を用いて説明する。
【００１５】
［１．第１の実施の形態］
［１−１．紙幣処理装置の全体構成］
図１に示すように、第１の実施の形態による紙幣処理装置１は、例えば金融機関に設置される現金処理装置（いわゆるテラーマシン）であり、金融機関の職員や顧客（以下これを使用者と呼ぶ）の操作により、現金（特に紙幣）に関する入金取引や出金取引等の各種取引を行う。
【００１６】
以下では、紙幣処理装置１のうち使用者が対峙する正面側を前側とし、その反対を後側とし、前側から見た場合の左及び右をそれぞれ左側及び右側とし、さらに上側及び下側を定義して説明する。
【００１７】
媒体処理装置としての紙幣処理装置１は、全体を覆う筐体２が直方体状に形成されており、該筐体２における上面の前寄りに、使用者との間で紙幣を受け渡す受渡部４が設けられている。受渡部４は、筐体２における後側部分の上面よりも上方に隆起しており、且つ手前側に対して奥側（後側）が高くなるよう緩やかに傾斜されている。これにより受渡部４は、筐体２の前側に位置する使用者から容易にアクセスし得るように、すなわち使用者が紙幣の投入や取出を容易に行い得るようになっている。
【００１８】
紙幣処理装置１の受渡部４には、入金部１２、第１出金部１３及び第２出金部１４が設けられている。また筐体２の前面上方、すなわち受渡部４の前下方には、表示部１５が設けられ、さらに入金部１２の左右両外側に操作部１６が設けられている。これに加えて紙幣処理装置１における筐体２の内部には、制御部１１、搬送部２１、鑑別部２２、一時保留部２３、複数の紙幣収納庫２４及びリジェクト庫２５が設けられている。
【００１９】
制御部１１は、紙幣処理装置１の全体を統括的に制御している。この制御部１１は、図示しないＣＰＵ（Central Processing Unit）を中心に構成され、図示しないＲＯＭやフラッシュメモリ等から所定のプログラムを読み出して実行することにより、入金処理や出金処理等のような種々の処理を行う。また制御部１１は、内部にＲＡＭ（Random Access Memory）、ハードディスクドライブやフラッシュメモリ等でなる記憶部を有しており、この記憶部に種々の情報やプログラム等を記憶させる。
【００２０】
取込部としての入金部１２は、図２に拡大した模式図を示すように、入金カバー３１、入金集積空間３２、フロアガイド３３、バックアップ部３４、分離部３５及び入金残留センサ３７等を有している。入金カバー３１は、入金部１２の前側ないし上側を覆っており、後側に設けられた回動軸を中心に回動することにより、閉塞状態（実線で示す）において入金集積空間３２を外部から遮蔽し、或いは開放状態（破線で示す）において入金集積空間３２の前側を開放して外部と連通させる。因みに入金カバー３１は、使用者の手作業により、すなわち手動で回動される。
【００２１】
入金集積空間３２は、紙幣が集積された状態で収納される空間であり、前方が開放されており、入金カバー３１により覆われていない開放状態において、使用者により紙幣が投入される。フロアガイド３３は、入金集積空間３２の下端を形成しており、紙幣が集積された状態で載置される。バックアップ部３４は、入金集積空間３２に集積されている紙幣を下方向へ、すなわち分離部３５に押し付ける。分離部３５は、複数のローラ等により構成されており、各ローラを適宜回転させることにより、入金集積空間３２に集積されている紙幣を１枚ずつに分離して取り込み、搬送部２１に引き渡していく。
【００２２】
排出部としての第２出金部１４は、受渡部４における前側に位置しており、第２放出部５１、第２集積空間５２、第２シャッタ５３、第２回動軸５４、第２駆動モータ５５及び第２残留センサ５７等を有している。第２放出部５１は、搬送部２１により搬送されてきた紙幣を受け取って第２集積空間５２内へ放出する。第２集積空間５２は、前上側が開放された空間となっており、第２放出部５１から放出された紙幣を集積した状態で収納する。
【００２３】
第２シャッタ５３は、第２集積空間５２の上側に配置された第２回動軸５４を中心として回動することにより、第２集積空間５２の前上側を覆う閉塞状態と、該第２集積空間５２を開放した開放状態とに遷移する。駆動部としての第２駆動モータ５５は、制御部１１の制御に基づいて第２シャッタ５３に駆動力を供給することにより、該第２シャッタ５３を閉塞状態又は開放状態に遷移させる。第２残留センサ５７は、いわゆる光学センサであり、第２集積空間５２内に１枚以上の紙幣が収納されているか（すなわち残留しているか）否かを検出し、得られた検出結果を制御部１１に通知する。
【００２４】
第１出金部１３は、受渡部４における入金部１２及び第２出金部１４の間に位置している。この第１出金部１３は、第２出金部１４の第２放出部５１、第２集積空間５２、第２シャッタ５３、第２回動軸５４、第２駆動モータ５５及び第２残留センサ５７とそれぞれ同様に構成された第１放出部４１、第１集積空間４２、第１シャッタ４３、第１回動軸４４、第１駆動モータ４５及び第１残留センサ４７を有している。
【００２５】
表示部１５は、例えば比較的小さい液晶パネルであり、制御部１１の制御に基づき、種々の情報を表示する。操作部１６は、例えば複数の押下式の操作ボタンであり、使用者により押下操作されると、操作されたことを制御部１１に通知する。
【００２６】
搬送部２１（図１）は、筐体２内の各部を結ぶ搬送路Ｙに沿って配置された各種ローラやベルト、並びにこれらを駆動するためのギアやモータ等により構成されている。また搬送部２１は、搬送路の分岐点に図示しない切替器を適宜配置している。この搬送部２１は、制御部１１の制御に基づき、搬送路に沿って紙幣を搬送すると共に、切替器により当該紙幣の搬送先を切り替える。因みに図１では、搬送部２１を構成する部品の一部のみを模式的に示している。
【００２７】
鑑別部２２は、入金部１２の後方下側であって、搬送部２１の搬送路Ｙ上に配置されている。この鑑別部２２は、種々のセンサを有しており、搬送部２１により搬送されてくる紙幣の金種、真偽、正損、走行状態などを基に、取り扱うことのできる取扱可能紙幣であるか否かを鑑別し、その鑑別結果を制御部１１へ送出する。また鑑別部２２は、紙幣における損傷の程度を基に、再利用することができる再利用可能紙幣であるか否かを鑑別し、その鑑別結果を制御部１１へ送出することもできる。
【００２８】
一時保留部２３は、第２出金部１４の前方下側に配置されており、搬送部２１により搬送されてきた紙幣を内部に一時的に収納（保留）し、また保留している紙幣を１枚ずつ搬送部２１へ繰り出す。
【００２９】
媒体収納庫としての各紙幣収納庫２４は、内部に紙幣を集積した状態で収納する集積空間や、搬送部２１から搬送されてきた紙幣を該集積空間内へ放出して集積させる放出機構、及び集積空間内に集積されている紙幣を１枚ずつに分離して繰り出し、搬送部２１に引き渡す分離機構等を有している。この紙幣収納庫２４は、搬送部２１から搬送されてくる紙幣（正常紙幣）を上下方向に重ねて内部に収納し、また収納している紙幣を１枚ずつ繰り出して搬送部２１へ引き渡す。
【００３０】
リジェクト庫２５は、内部に紙幣を収納する集積空間や、搬送部２１から搬送されてきた紙幣を該集積空間内へ放出して集積させる放出機構等を有している。このリジェクト庫２５は、鑑別部２２において再利用不可能と鑑別された紙幣（リジェクト紙幣）が搬送部２１により搬送されてくると、内部に収納する。
【００３１】
ところで、紙幣処理装置１の回路は、図３に模式的なブロック図として示すように、制御部１１を中心として構成されている。すなわち制御部１１には、受渡部４に関する部分として、入金部１２の入金残留センサ３７、第１出金部１３の第１駆動モータ４５及び第１残留センサ４７、第２出金部１４の第２駆動モータ５５及び第２残留センサ５７、表示部１５及び操作部１６がそれぞれ接続されている。また制御部１１には、搬送部２１、鑑別部２２、一時保留部２３、各紙幣収納庫２４及びリジェクト庫２５もそれぞれ接続されている。
【００３２】
かかる構成により紙幣処理装置１は、操作部１６を介して使用者から入金取引を開始する操作を受け付けると、制御部１１において所定の入金プログラムを読み出して実行することにより、取込動作としての入金処理を開始する。
【００３３】
具体的に制御部１１は、使用者により入金部１２の入金カバー３１が開放されると共に入金集積空間３２内へ紙幣が投入されると、すなわち使用者から紙幣を受け取ると、分離部３５によりこの紙幣を１枚ずつ分離して搬送部２１へ順次引き渡す。搬送部２１は、この紙幣を搬送路Ｙに沿って鑑別部２２へ順次搬送する。
【００３４】
続いて制御部１１は、鑑別部２２により各紙幣が取扱可能紙幣であるか否か並びに金種及び損傷の程度等を鑑別させ、得られた鑑別結果を基に、取扱可能紙幣を搬送部２１により金種に応じた紙幣収納庫２４へ搬送して収納させる。因みに制御部１１は、取扱可能紙幣ではあるものの損傷の程度が大きく再利用できないと鑑別された紙幣（リジェクト紙幣）をリジェクト庫２５へ搬送して収納させる。
【００３５】
その一方で制御部１１は、取り扱うことができない、すなわち異常と鑑別された紙幣（以下これを入金リジェクト紙幣又はリジェクト媒体と呼ぶ）を第２出金部１４へ搬送する。第２出金部１４は、搬送部２１から受け取った紙幣を第２放出部５１により第２集積空間５２内へ放出して収納させ、第２シャッタ５３を開放して使用者に取り出させる（詳しくは後述する）。
【００３６】
その後制御部１１は、鑑別した紙幣の枚数や合計金額等を表示部１５に表示し、使用者に入金取引を継続するか否かを問い合わせる。ここで使用者から操作部１６を介して入金取引の継続が指示されると、制御部１１は所定の終了処理を行った上で入金取引を完了する。一方、使用者から入金取引の中止が指示されると、入金された金額の紙幣を紙幣収納庫２４から繰り出し、搬送部２１により第１出金部１３又は第２出金部１４へ搬送して集積させて、使用者に取り出させる。
【００３７】
また紙幣処理装置１は、使用者から操作部１６を介して出金取引を開始する操作を受け付けると、制御部１１において所定の出金プログラムを読み出して実行することにより、排出動作としての出金処理を開始する。具体的に紙幣処理装置１の制御部１１は、操作部１６を介して使用者に出金額を指定させる。これに応じて制御部１１は、出金する紙幣の金種及び枚数を決定する。また制御部１１は、第１出金部１３又は第２出金部１４の何れか一方を選択して選択出金部とする。
【００３８】
次に制御部１１は、各紙幣収納庫２４から出金額に応じた金種及び枚数の紙幣を順次繰り出し、これを搬送部２１により選択出金部へ順次搬送させ、該選択出金部において集積空間内に紙幣を順次放出して集積させる。その後制御部１１は、全ての紙幣を選択出金部へ搬送し終えると、選択出金部のカバーを開放して紙幣を使用者に取り出させる。
【００３９】
［１−２．入金処理］
次に、紙幣処理装置１が入金取引において行う入金処理手順について、図４のフローチャートを参照しながら説明する。紙幣処理装置１の制御部１１は、使用者から入金取引の開始が指示されると、入金処理プログラムを読み出して実行することにより、入金処理手順ＲＴ１（図４）を開始してステップＳＰ１に移る。
【００４０】
ステップＳＰ１において制御部１１は、使用者によって入金部に紙幣が投入されたか否か、具体的には入金残留センサ３７（図２及び図３）から得られる検出結果を基に、入金部１２の入金集積空間３２に１枚以上の紙幣があるか否かを判定する。ここで否定結果が得られると、制御部１１はこのステップＳＰ１を繰り返すことにより、使用者によって入金部１２に紙幣が投入されるのを待ち受ける。
【００４１】
一方、ステップＳＰ１において肯定結果が得られると、制御部１１は次のステップＳＰ２へ移り、分離部３５による紙幣の分離処理を開始して、その次のステップＳＰ３へ移る。この分離処理において分離部３５は、入金集積空間３２に収納されている紙幣のうち最も下側に位置するものを１枚ずつに分離して取り込み、搬送部２１に引き渡す、といった処理を繰り返す。
【００４２】
ステップＳＰ３において制御部１１は、この入金処理手順ＲＴ１と並行して、第２出金部１４における第２シャッタ５３の開閉を制御する出金シャッタ制御処理を開始させて、次のステップＳＰ４に移る。なお、出金シャッタ制御処理の具体的な内容については後述する。
【００４３】
ステップＳＰ４において制御部１１は、入金部１２から繰り出され搬送部２１により搬送している紙幣を鑑別部２２において鑑別させ、該鑑別部２２から鑑別結果を取得して、次のステップＳＰ５へ移る。ステップＳＰ５において制御部１１は、鑑別部２２から取得した鑑別結果を基に、紙幣が正常であるか否かを判定する。ここで肯定結果が得られると、制御部１１は次のステップＳＰ６へ移り、当該紙幣を搬送部２１（図１）によって紙幣収納庫２４又はリジェクト庫２５へ搬送させて収納させ、その次のステップＳＰ８へ移る。
【００４４】
一方、ステップＳＰ５において否定結果が得られると、このことは当該紙幣を使用者に返却する必要があることを表している。このとき制御部１１は、次のステップＳＰ７へ移り、当該紙幣を搬送部２１によって第２出金部１４へ搬送させて第２集積空間５２内へ放出させた後、その次のステップＳＰ８へ移る。
【００４５】
ステップＳＰ８において制御部１１は、入金部１２に１枚以上の紙幣が残っているか否か、具体的には入金残留センサ３７（図２及び図３）から得られる検出結果を基に、入金部１２の入金集積空間３２に１枚以上の紙幣があるか否かを判定する。ここで肯定結果が得られると、このことは入金部１２に残っている紙幣についても同様に１枚ずつに分離して鑑別する必要があることを表している。このとき制御部１１は、ステップＳＰ４に戻って一連の処理を繰り返す。
【００４６】
一方、ステップＳＰ８において否定結果が得られると、このことは使用者により入金部１２に投入された全ての紙幣について、分離や鑑別等の処理を完了したことを表している。このとき制御部１１は、次のステップＳＰ９へ移り、入金部１２の分離部３５において行っていた分離処理を終了させて、その次のステップＳＰ１０へ移る。ステップＳＰ１０において制御部１１は、この入金処理手順ＲＴ１と並行して実行していた出金シャッタ制御処理を終了させて、次のステップＳＰ１１へ移る。
【００４７】
ステップＳＰ１１において制御部１１は、第２出金部１４に紙幣（すなわち入金リジェクト紙幣）があるか否か、具体的には第２残留センサ５７（図２及び図３）から得られる検出結果を基に、第２集積空間５２に１枚以上の紙幣があるか否かを判定する。ここで肯定結果が得られると、制御部１１はこのステップＳＰ１１を繰り返すことにより、使用者により第２出金部１４から紙幣が取り出されるのを待ち受ける。
【００４８】
一方、ステップＳＰ１１において否定結果が得られると、このことは第２出金部１４の第２集積空間５２に紙幣（入金リジェクト紙幣）が残っていないことを表している。このとき制御部１１は、次のステップＳＰ１２へ移る。
【００４９】
ステップＳＰ１２において制御部１１は、表示部１５に新たな紙幣の入金を継続するか否か、すなわち紙幣を追加投入するか否かを問い合わせるメッセージを表示する。そのうえで制御部１１は、使用者から操作部１６を介した操作入力を受け付けることにより、新たな紙幣の入金があるか否かを判定する。ここで肯定結果が得られると、制御部１１はステップＳＰ１へ戻って一連の処理を繰り返す。
【００５０】
一方、ステップＳＰ１２において否定結果が得られると、制御部１１は次のステップＳＰ１３へ移る。ステップＳＰ１３において制御部１１は、表示部１５に入金された紙幣の合計金額を表示すると共に、入金取引を継続するか否かを問い合わせるメッセージを表示すると共に、使用者から操作部１６を介した操作入力を受け付けることにより、入金取引を継続するか否かを判定する。
【００５１】
ここで肯定結果が得られると、このことは使用者に入金取引を継続する意思があり、入金された紙幣を返却する必要がないことを表している。このとき制御部１１は、次のステップＳＰ１４に移り、第２出金部１４の第２シャッタ５３を閉塞させてからステップＳＰ１７へ移って入金処理手順ＲＴ１を終了する。
【００５２】
一方、ステップＳＰ１３において否定結果が得られると、このことは使用者が入金取引を中止する意思を示したため、入金された紙幣と同じ紙幣を返却する必要があることを表している。このとき制御部１１は、次のステップＳＰ１５に移り、第２出金部１４の第２シャッタ５３を閉塞させてから、その次のステップＳＰ１６へ移る。
【００５３】
ステップＳＰ１６において制御部１１は、使用者に紙幣を返却する紙幣返却処理を行う。具体的に制御部１１は、金種ごとに、入金された枚数と同数の紙幣を紙幣収納庫２４から繰り出して搬送部２１により第２出金部１４へ搬送させ、第２集積空間５２内に順次集積させる。続いて制御部１１は、出金すべき全ての紙幣を第２集積空間５２内に集積し終えると、第２シャッタ５３を開放して使用者に紙幣を取り出させ、返却する。その後、制御部１１は、第２残留センサ５７から得られる検出結果を基に、使用者により紙幣が取り出されたと判断した場合、第２シャッタ５３を閉塞した後、次のステップＳＰ１７へ移って入金処理手順ＲＴ１を終了する。
【００５４】
［１−３．出金シャッタ制御処理］
次に、紙幣処理装置１において入金処理手順ＲＴ１（図４）から呼び出され、該入金処理手順ＲＴ１と並行して実行される出金シャッタ制御処理ＲＴ２について、図５のフローチャートを参照しながら説明する。紙幣処理装置１の制御部１１は、入金処理手順ＲＴ１のステップＳＰ３において、出金シャッタ制御処理プログラムを読み出して実行することにより、出金シャッタ制御処理手順ＲＴ２（図５）を開始してステップＳＰ２１に移る。因みに第２出金部１４の第２シャッタ５３は、予め閉塞状態となっている。
【００５５】
ステップＳＰ２１において制御部１１は、ステップＳＰ１１（図４）と同様に、第２出金部１４に紙幣（すなわち入金リジェクト紙幣）があるか否か、具体的には第２残留センサ５７から得られる検出結果を基に、第２集積空間５２に１枚以上の紙幣があるか否かを判定する。ここで肯定結果が得られると、このことは第２シャッタ５３を開放状態として入金リジェクト紙幣を使用者に取り出させる必要があることを表している。このとき制御部１１は、次のステップＳＰ２２へ移る。
【００５６】
ステップＳＰ２２において制御部１１は、第２シャッタ５３が開放状態であるか否か、具体的には第２駆動モータ５５により第２シャッタ５３を開放状態に遷移させているか否かを判定する。ここで否定結果が得られると、制御部１１は次のステップＳＰ２３へ移り、第２駆動モータ５５により第２シャッタ５３を開放状態に遷移させ、第２集積空間５２内の紙幣を使用者が取り出し得るようにしてから、再度ステップＳＰ２１に戻る。
【００５７】
一方、ステップＳＰ２２において肯定結果が得られると、このことは既に第２シャッタ５３が開放状態であり、第２集積空間５２内の紙幣を使用者が取り出し得ることを表している。このとき制御部１１は、第２出金部１４をその状態のままとして、ステップＳＰ２１に戻る。
【００５８】
また、ステップＳＰ２１において否定結果が得られると、このことは第２出金部１４において入金リジェクト紙幣を使用者に取り出させる必要が無いため、第２シャッタ５３を閉塞状態として騒音の低減を図るべきであることを表している。このとき制御部１１は、次のステップＳＰ２４へ移る。
【００５９】
ステップＳＰ２４において制御部１１は、第２シャッタ５３が開放状態であるか否か、具体的には第２駆動モータ５５により第２シャッタ５３を開放状態に遷移させているか否かを判定する。ここで肯定結果が得られると、制御部１１は次のステップＳＰ２５へ移り、第２駆動モータ５５により第２シャッタ５３を閉塞状態に遷移させ、第２集積空間５２を閉塞してから、再度ステップＳＰ２１に戻る。
【００６０】
一方、ステップＳＰ２４において否定結果が得られると、このことは既に第２シャッタ５３が閉塞状態であり、第２集積空間５２が閉塞されていることを表している。このとき制御部１１は、第２出金部１４をその状態のままとして、ステップＳＰ２１に戻る。
【００６１】
因みに制御部１１は、入金処理手順ＲＴ１（図４）においてステップＳＰ１０に移った段階で、この出金シャッタ制御処理手順ＲＴ２を終了する。
【００６２】
［１−４．効果等］
以上の構成において、第１の実施の形態による紙幣処理装置１では、入金取引において入金リジェクト紙幣を第２出金部１４から出金させるようにし、且つ該第２出金部１４の第２集積空間５２における紙幣の有無に応じて第２シャッタ５３を開放又は閉塞させるようにした。
【００６３】
ところで従来の紙幣処理装置では、入金取引の開始時に第２シャッタを開放状態とし、入金部において紙幣の分離処理が終わるまでの間、該第２シャッタを開放状態に維持していた。この従来の紙幣処理装置では、発生した入金リジェクト紙幣を直ちに使用者に取り出させ得る反面、紙幣の分離処理が行われている間、入金リジェクト紙幣が発生しない場合であっても、騒音が外部に漏れたままとなっていた。
【００６４】
これに対し、本実施の形態による紙幣処理装置１の制御部１１は、入金取引の開始時に第２シャッタ５３を閉塞させておき、入金リジェクト紙幣が第２集積空間５２内に放出されると、該第２シャッタ５３を開放する（ステップＳＰ２１〜ＳＰ２３）。このため紙幣処理装置１では、入金取引を開始してから入金リジェクト紙幣が発生するまでの間、第２シャッタ５３を閉塞しておくことができる。
【００６５】
また制御部１１は、第２集積空間５２内に入金リジェクト紙幣が無い場合、すなわち使用者により第２出金部１４から該入金リジェクト紙幣が取り出された場合、第２シャッタ５３を閉塞する（ステップＳＰ２１、ＳＰ２４及びＳＰ２５）。このため紙幣処理装置１では、使用者により第２集積空間５２から入金リジェクト紙幣が取り出された後、間もなく第２シャッタ５３を閉塞することができる。
【００６６】
すなわち紙幣処理装置１では、第２集積空間５２に入金リジェクト紙幣があり使用者に取り出させたい場合にのみ、第２シャッタ５３を開放状態とし、これ以外の場合に、該第２シャッタ５３を積極的に閉塞状態とする。
【００６７】
これにより紙幣処理装置１は、筐体２（図１）内に設けられた各種モータの動作音や、搬送部２１により搬送される紙幣により発生する搬送音等、種々の音が搬送部２１の搬送路や第２集積空間５２等を通じて外部に伝わること、すなわち紙幣処理装置１の内部で発生した騒音が外部に漏れることを、積極的に抑えることができる。
【００６８】
これを換言すれば、紙幣処理装置１では、入金リジェクト紙幣が発生した場合に第２集積空間５２から直ちに取り出させることと、できるだけ長い期間に渡って第２シャッタ５３を閉塞して騒音を極力抑えることとを、高い次元で両立させることができる。
【００６９】
以上の構成によれば、第１の実施の形態による紙幣処理装置１では、第２出金部１４の第２集積空間５２に入金リジェクト紙幣がある場合のみ第２シャッタ５３を開放状態とし、これ以外の場合に該第２シャッタ５３を閉塞状態とする。これにより紙幣処理装置１では、第２集積空間５２から入金リジェクト紙幣を直ちに取り出させることと、第２シャッタ５３をできるだけ閉塞して騒音を極力抑えることとを、高い次元で両立させることができる。
【００７０】
［２．第２の実施の形態］
第２の実施の形態による紙幣処理装置１０１（図１）は、第１の実施の形態による紙幣処理装置１と比較して、制御部１１、第１出金部１３及び第２出金部１４に代わる制御部１１１、第１出金部１１３及び第２出金部１１４を有する点において相違するものの、他の点については同様に構成されている。
【００７１】
制御部１１１は、第１の実施の形態による制御部１１と同様、ＣＰＵ、ＲＯＭやＲＡＭ等（図示せず）を有しており、所定のプログラムを読み出して実行することにより、種々の処理を行い、また種々の情報等を記憶するようになっている。この制御部１１１は、第１の実施の形態と一部異なる出金シャッタ制御処理を行うようになっている（詳しくは後述する）。
【００７２】
［２−１．第１出金部及び第２出金部の構成］
第２出金部１１４は、図２の一部と対応する図６（Ａ）及び（Ｂ）に示すように、第１の実施の形態による第２出金部１４と比較して、第２駆動モータ５５に代わる第２ロックモータ１５５を有する点、並びに第２ロック部１６０を有する点において相違するものの、他の点については同様に構成されている。すなわち第２出金部１１４では、第２駆動モータ５５が省略されているため、第１の実施の形態とは異なり、第２シャッタ５３が使用者により手動で開放状態又は閉塞状態に遷移されるようになっている。
【００７３】
第２ロック部１６０は、第２ロック回動軸１６１、第２ロック体１６２及び第２ロックポスト１６３により構成されている。第２ロック回動軸１６１は、第２集積空間５２の前下側における左側面に位置しており、中心軸を左右方向に沿わせた比較的小さい円柱状に形成されている。この第２ロック回動軸１６１は、維持切替部としての第２ロックモータ１５５から供給される駆動力により、中心軸を回動中心として回動する。
【００７４】
第２ロック体１６２は、第２集積空間５２の前方左側に配置されており、全体として左右方向に薄く上下方向に長い板状に形成されている。この第２ロック体１６２の前側辺における上端近傍には、前方へ向けて三角形状のロック爪１６２Ｌが突設されている。また第２ロック体１６２は、その下端近傍において、第２ロック回動軸１６１に取り付けられている。このため第２ロック体１６２は、第２ロックモータ１５５から供給される駆動力により、第２ロック回動軸１６１の中心軸を回動中心として、該第２ロック回動軸１６１と一体に回動することができる。第２ロックポスト１６３は、中心軸を左右方向に沿わせた比較的小さい円柱状に形成され、第２シャッタ５３の左側面に取り付けられている。
【００７５】
かかる構成により、第２出金部１１４は、図６（Ａ）に示したように、第２シャッタ５３が閉塞状態であり、且つ第２ロック体１６２が第２ロック回動軸１６１に対してほぼ前上に位置している場合に、第２ロック体１６２の前辺及びロック爪１６２Ｌの下辺が第２ロックポスト１６３に当接した状態となる。
【００７６】
このとき第２ロック体１６２は、第２ロックポスト１６３が上方や後方へ移動すること、すなわち第２シャッタ５３が回動して開放状態へ遷移することを制限して閉塞状態を維持させる。換言すれば、このとき第２ロック部１６０は、第２シャッタ５３を閉塞状態にロックすることができる。以下、このときの第２ロック部１６０の状態を閉塞維持状態と呼び、またこのときの第２ロック体１６２の回動角度をロック角度と呼ぶ。
【００７７】
一方、第２出金部１１４は、図６（Ｂ）に示すように、第２ロック体１６２を閉塞維持状態から図の反時計回りに回動させて第２ロック回動軸１６１の上後側に位置させた場合、該第２ロック体１６２を第２ロックポスト１６３から引き離す。
【００７８】
このとき第２ロック体１６２は、第２ロックポスト１６３が上方や後方へ移動すること、すなわち第２シャッタ５３が回動して開放状態へ遷移することを許容する。換言すれば、このとき第２ロック部１６０は、第２シャッタ５３のロックを解除して、該第２シャッタ５３を開放状態へ遷移可能な状態とすることができる。以下、このときの第２ロック部１６０の状態を開放許容状態と呼び、またこのときの第２ロック体１６２の回動角度をロック解除角度と呼ぶ。
【００７９】
この第２の実施の形態では、制御部１１１の制御によって第２ロックモータ１５５を制御することにより、第２出金部１１４の第２ロック部１６０を閉塞維持状態（図６（Ａ））又は開放許容状態（図６（Ｂ））に遷移させることができる。因みに第１出金部１１３（図１）は、第２出金部１１４と同様に構成されている。
【００８０】
［２−２．出金シャッタ制御処理］
この第２の実施の形態では、図５と対応する図７に示すように、制御部１１１により、出金シャッタ制御処理手順ＲＴ３に従って第２シャッタ５３を制御するようになっている。すなわち制御部１１１は、入金処理手順ＲＴ１のステップＳＰ３（図４）において、出金シャッタ制御処理プログラムを読み出して実行することにより、出金シャッタ制御処理手順ＲＴ３（図７）を開始してステップＳＰ３１に移る。
【００８１】
ステップＳＰ３１において制御部１１１は、ステップＳＰ２１（図５）と同様、第２出金部１１４に紙幣（すなわち入金リジェクト紙幣）があるか否か、具体的には第２残留センサ５７から得られる検出結果を基に、第２集積空間５２に１枚以上の紙幣があるか否かを判定する。ここで肯定結果が得られると、このことは第２ロック部１６０を開放許容状態とした上で第２シャッタ５３を開放させ、入金リジェクト紙幣を使用者に取り出させる必要があることを表している。このとき制御部１１１は、次のステップＳＰ３２へ移る。
【００８２】
ステップＳＰ３２において制御部１１１は、第２ロック部１６０が開放許容状態であるか否か、具体的には第２ロックモータ１５５により第２ロック体１６２がロック解除角度になっているか否かを判定する。ここで否定結果が得られると、制御部１１１は次のステップＳＰ３３へ移り、第２ロックモータ１５５により第２ロック体１６２をロック解除角度に回動させて、次のステップＳＰ３４へ移る。
【００８３】
これにより第２ロック部１６０は開放許容状態（図６（Ｂ））となり、使用者により第２シャッタ５３を閉塞状態から開放状態に遷移すること、及び第２集積空間５２から入金リジェクト紙幣を取り出させることが可能となる。
【００８４】
一方、ステップＳＰ３２において肯定結果が得られると、このことは既に第２ロック部１６０が開放許容状態であり、使用者により第２シャッタ５３を開放して第２集積空間５２から入金リジェクト紙幣を取り出し得ることを表している。このとき制御部１１１は、次のステップＳＰ３４へ移る。ステップＳＰ３４において制御部１１１は、表示部１５に対し、第２出金部１１４から入金リジェクト紙幣を取り出すように促すメッセージを表示させてから、再度ステップＳＰ３１へ戻る。
【００８５】
また、ステップＳＰ３１において否定結果が得られると、このことは第２出金部１１４において入金リジェクト紙幣を使用者に取り出させる必要が無いため、第２ロック部１６０を閉塞維持状態とすることにより、第２シャッタ５３を閉塞状態に維持して騒音の低減を図るべきであることを表している。このとき制御部１１１は、次のステップＳＰ３５へ移る。
【００８６】
ステップＳＰ３５において制御部１１１は、ステップＳＰ３２と同様に、第２ロック部１６０が開放許容状態であるか否か、具体的には第２ロックモータ１５５により第２ロック体１６２がロック解除角度になっているか否かを判定する。ここで肯定結果が得られると、制御部１１１は次のステップＳＰ３６へ移り、第２ロックモータ１５５により第２ロック体１６２をロック角度に回動させ、第２ロック部１６０を閉塞遷移状態として、次のステップＳＰ３７へ移る。
【００８７】
一方、ステップＳＰ３５において否定結果が得られると、このことは第２ロック部１６０が既に閉塞維持状態であり、第２シャッタ５３を閉塞状態に維持していることを表している。このとき制御部１１１は、次のステップＳＰ３７へ移る。ステップＳＰ３７において制御部１１１は、表示部１５に表示させていた、第２出金部１１４から入金リジェクト紙幣を取り出すように促すメッセージを消去させてから、再度ステップＳＰ３１へ戻る。
【００８８】
因みに制御部１１は、第１の実施の形態と同様に、入金処理手順ＲＴ１（図４）においてステップＳＰ１０に移った段階で、この出金シャッタ制御処理手順ＲＴ３を終了する。
【００８９】
［２−３．効果等］
以上の構成において、第２の実施の形態による紙幣処理装置１０１では、入金取引において入金リジェクト紙幣を第２出金部１１４から出金させるようにし、且つ該第２出金部１１４の第２集積空間５２における紙幣の有無に応じて、第２シャッタ５３をロックするか否かを切り替えるようにした。
【００９０】
紙幣処理装置１０１の制御部１１１は、入金取引の開始時に第２シャッタ５３を閉塞させ、且つ第２ロック部１６０を閉塞維持状態としておき、入金リジェクト紙幣が第２集積空間５２内に放出されると、該第２ロック部１６０を開放許容状態に遷移させる（ステップＳＰ３１〜ＳＰ３３）。このため紙幣処理装置１０１では、第１の実施の形態と同様、入金取引を開始してから入金リジェクト紙幣が発生するまでの間、第２シャッタ５３を閉塞しておくことができる。
【００９１】
また制御部１１１は、第２集積空間５２内に入金リジェクト紙幣が無い場合、すなわち使用者により第２出金部１１４から該入金リジェクト紙幣が取り出された場合、第２ロック部１６０を閉塞維持状態にして第２シャッタ５３を閉塞状態に維持する（ステップＳＰ３１、ＳＰ３５及びＳＰ３６）。このため紙幣処理装置１０１では、使用者により第２集積空間５２から入金リジェクト紙幣が取り出されて第２シャッタ５３が閉塞された後、閉塞状態を維持することができる。
【００９２】
すなわち紙幣処理装置１０１では、第２集積空間５２に入金リジェクト紙幣があり使用者に取り出させたい場合にのみ、第２ロック部１６０を開放許容状態に遷移させて第２シャッタ５３を開放できるようにし、これ以外の場合に、第２ロック部１６０を閉塞維持状態として第２シャッタ５３をできるだけ閉塞状態とする。これにより紙幣処理装置１０１は、第１の実施の形態と同様、紙幣処理装置１の内部で発生した騒音が外部に漏れることを、積極的に抑えることができる。
【００９３】
また制御部１１１は、第２出金部１１４の第２集積空間５２に入金リジェクト紙幣があり、第２ロック部１６０を開放許容状態に遷移させた場合、表示部１５にメッセージを表示するようにした（ステップＳＰ３４）。これにより紙幣処理装置１０１では、使用者に対し、入金リジェクト紙幣が発生したことを直ちに認識させ、これにより第２シャッタ５３を開放状態に遷移させて入金リジェクト紙幣を取り出させるよう促すことができる。
【００９４】
以上の構成によれば、第２の実施の形態による紙幣処理装置１０１では、第２出金部１１４の第２集積空間５２に入金リジェクト紙幣がある場合のみ第２ロック部１６０を開放許容状態に遷移して第２シャッタ５３を開放できるようにし、これ以外の場合に第２ロック部１６０を閉塞維持状態として第２シャッタ５３を閉塞状態に維持する。これにより紙幣処理装置１０１では、第１の実施の形態と同様、第２集積空間５２から入金リジェクト紙幣を直ちに取り出させることと、第２シャッタ５３をできるだけ閉塞して騒音を極力抑えることとを、高い次元で両立させることができる。
【００９５】
［３．第３の実施の形態］
第３の実施の形態による紙幣処理装置２０１（図１）は、第１の実施の形態による紙幣処理装置１と比較して、第２出金部１４に代わる第２出金部２１４を有する点において相違するものの、他の点については同様に構成されている。第２出金部２１４は、図８（Ａ）及び（Ｂ）に斜視図を示すように、第２出金部１４と比較して、第２シャッタ５３に代わる第２シャッタ２５３を有する点において相違するものの、他の点については同様に構成されている。
【００９６】
第２シャッタ２５３は、その前面部分が左右方向に関して３つの範囲に分割されている。このうち左右の両外側の部分でなる第２外側シャッタ２５３Ｔは、上面側において左右の部分が連結されており、第１の実施の形態における第２シャッタ５３と同様に、第２回動軸５４（図２）を中心に回動し得るようになっている。通常シャッタとしての第２外側シャッタ２５３Ｔは、第２駆動モータ５５（図２及び図３）から供給される駆動力により、閉塞状態（図８（Ａ））又は開放状態（図８（Ｂ））に遷移される。
【００９７】
第２シャッタ２５３における中央の部分でなる第２中央シャッタ２５３Ｃは、回動することにより開閉し得るものの、第２外側シャッタ２５３Ｔが開放されている場合にのみ開放することができ、該第２外側シャッタ２５３Ｔが閉塞されている場合に閉塞された状態に維持される。また第２中央シャッタ２５３Ｃは、第２駆動モータ５５から駆動力が供給されていないため、使用者により手動で開放され、さらに図示しない付勢部材の作用によって自動的に閉塞される。説明の都合上、以下では、第２中央シャッタ２５３Ｃを第１部分シャッタとも呼び、また第２外側シャッタ２５３Ｔを第２部分シャッタとも呼ぶ。
【００９８】
衝撃吸収シャッタとしての第２中央シャッタ２５３Ｃは、その内側、すなわち第２放出部５１（図２）と対向する部分に、ビルストッパ（図示せず）と呼ばれる部材が設けられている。このビルストッパは、所定の弾性部材を介して第２中央シャッタ２５３Ｃに取り付けられており、第２放出部５１（図２）から前方へ向けて放出された紙幣が衝突すると、この弾性部材の作用により衝撃を吸収した上で、該紙幣を後方向へ押し返す。これにより第２出金部２１４では、特に多数の紙幣が第２集積空間５２（図２）内に集積される場合に、各紙幣を後側に寄せた状態で整然と集積することができる。
【００９９】
この紙幣処理装置２０１では、第１の実施の形態と同様に、制御部１１の制御に基づき、入金処理手順ＲＴ１（図４）及び出金シャッタ制御処理手順ＲＴ２（図５）が行われる。
【０１００】
かかる構成により紙幣処理装置２０１では、第１の実施の形態と同様に、第２集積空間５２に入金リジェクト紙幣があり使用者に取り出させたい場合にのみ、第２外側シャッタ２５３Ｔを開放状態として入金リジェクト紙幣を取り出させ、これ以外の場合に、該第２シャッタ２５３を積極的に閉塞状態として騒音を抑えることができる。
【０１０１】
すなわち紙幣処理装置２０１では、やはり第１の実施の形態と同様に、入金リジェクト紙幣が発生した場合に第２集積空間５２から直ちに取り出させることと、できるだけ多くの期間に渡って第２シャッタ２５３を閉塞して騒音を極力抑えることとを、高い次元で両立させることができる。
【０１０２】
また第２出金部２１４では、例えば入金リジェクト紙幣が発生して第２外側シャッタ２５３Ｔが開放されている状態において、新たな入金リジェクト紙幣が発生して第２放出部５１から第２集積空間５２内へ放出されたときに、これをビルストッパに当接させて第２集積空間５２内に止めることができる。
【０１０３】
以上の構成によれば、第３の実施の形態による紙幣処理装置２０１では、第２出金部２１４の第２集積空間５２に入金リジェクト紙幣がある場合のみ第２外側シャッタ２５３Ｔを開放状態とし、これ以外の場合に該第２外側シャッタ２５３Ｔを第２中央シャッタ２５３Ｃと共に閉塞状態とする。これにより紙幣処理装置２０１では、第２集積空間５２から入金リジェクト紙幣を直ちに取り出させることと、第２シャッタ２５３をできるだけ閉塞して騒音を極力抑えることとを、高い次元で両立させることができる。
【０１０４】
［４．第４の実施の形態］
第４の実施の形態による紙幣処理装置３０１（図１）は、第１の実施の形態による紙幣処理装置１と比較して、制御部１１及び第２出金部１４に代わる制御部３１１及び第２出金部３１４を有する点において相違するものの、他の点については同様に構成されている。
【０１０５】
制御部３１１は、第１の実施の形態による制御部１１と同様、ＣＰＵ、ＲＯＭやＲＡＭ等（図示せず）を有しており、所定のプログラムを読み出して実行することにより、種々の処理を行い、また種々の情報等を記憶するようになっている。この制御部３１１は、出金取引において、第１の実施の形態と一部異なる処理を行うようになっている（詳しくは後述する）。
【０１０６】
第２出金部３１４は、第２の実施の形態による第２出金部２１４（図８）と類似した構成となっており、第２外側シャッタ２５３Ｔ及び第２中央シャッタ２５３Ｃでなる第２シャッタ２５３を有しているものの、これに加えて中央駆動モータ（図示せず）を有している。この中央駆動モータは、制御部３１１の制御に基づき、第２中央シャッタ２５３Ｃを開放させ、又は閉塞させるようになっている。すなわち第２出金部３１４では、制御部３１１の制御に基づき、第２外側シャッタ２５３Ｔに加えて第２中央シャッタ２５３Ｃも自動的に開放又は閉塞することができる。
【０１０７】
例えば第２出金部３１４は、第２駆動モータ５５により第２外側シャッタ２５３Ｔを開放させると共に、中央駆動モータ（図示せず）により第２中央シャッタ２５３Ｃも開放させた場合、図９に示すように、第２集積空間５２の前側を全範囲に渡って開放することができる。
【０１０８】
制御部３１１は、入金取引において、第３の実施の形態と同様に、第２出金部３１４から入金リジェクト紙幣を出金する場合、すなわち使用者に返却する場合に、第２駆動モータ５５により第２外側シャッタ２５３Ｔのみを開放して第２中央シャッタ２５３Ｃを閉塞したままとする。
【０１０９】
これにより紙幣処理装置３０１では、入金取引において、第３の実施の形態と同様に、入金リジェクト紙幣が発生した場合に第２集積空間５２から直ちに取り出させることと、できるだけ多くの期間に渡って第２シャッタ２５３を閉塞して騒音を極力抑えることとを、高い次元で両立させることができる。
【０１１０】
また制御部３１１は、出金取引において、第２出金部３１４を選択出金部として第２集積空間５２内に紙幣を集積させた後、第２外側シャッタ２５３Ｔ及び第２中央シャッタ２５３Ｃの双方を開放させる（図９）。これにより紙幣処理装置３０１では、第１出金部１３（図１及び図２）又は第２出金部３１４の何れが選択出金部として選択された場合であっても、第１集積空間４２又は第２集積空間５２の前方を全範囲に渡って開放することができるので、使用者に同様の取り出し方で紙幣を取り出させることができる。
【０１１１】
［５．他の実施の形態］
なお上述した第１の実施の形態においては、出金シャッタ制御処理（図５）のステップＳＰ２４及びＳＰ２５により、第２集積空間５２から入金リジェクト紙幣が取り出された場合に、第２シャッタ５３を閉塞状態に遷移させる場合について述べた。しかしながら本発明はこれに限らず、例えば第２集積空間５２から入金リジェクト紙幣が取り出された後に、第２シャッタ５３を開放状態のままとしても良い。第３及び第４の実施の形態についても同様である。また第２の実施の形態では、第２ロック部１６０を開放許容状態のままとしても良い。
【０１１２】
また上述した第１の実施の形態においては、第２出金部１４における第２シャッタ５３の状態に拘わらず、入金リジェクト紙幣が発生すると直ちに該第２出金部１４へ搬送して第２放出部５１から第２集積空間５２へ放出する場合について述べた。しかしながら本発明はこれに限らず、例えば第２シャッタ５３が開放状態である場合には、入金リジェクト紙幣を放出せずに待機し、該第２シャッタ５３が閉塞状態に遷移してから放出するようにしても良い。第２及び第３の実施の形態についても同様である。
【０１１３】
さらに上述した第２の実施の形態においては、入金リジェクト紙幣が発生して第２集積空間５２に放出された場合、表示部１５に所定のメッセージを表示することにより、使用者に入金リジェクト紙幣が収納されていることを通知すると共にその取り出しを促す場合について述べた。しかしながら本発明はこれに限らず、例えば第２出金部１１４の近傍にＬＥＤ（Light Emitting Diode）等のインジケータを設けておき、入金リジェクト紙幣が発生して第２集積空間５２に放出されたときにこのインジケータを点灯又は点滅させ、或いは所定の通知音や音声による案内を再生し、若しくはこれらを適宜組み合わせても良い。要は、入金リジェクト紙幣が発生して第２集積空間５２に放出されたことを使用者に通知できれば良い。さらには、第１、第３及び第４の実施の形態において、これらの通知を行っても良い。
【０１１４】
さらに上述した第２の実施の形態では、受渡部４に設けられた表示部１５にメッセージを表示し、操作部１６により使用者から操作指示を入力させる場合について述べた。しかしながら本発明はこれに限らず、例えば紙幣処理装置１と、表示部や操作部等を有するコンピュータ装置とを、所定のネットワーク等によって接続した上で、該コンピュータ装置の表示部にメッセージを表示し、また該コンピュータ装置の操作部により使用者から操作指示を入力させても良い。また表示部１５及び操作部１６については、液晶パネル及び複数の押下式の操作ボタンを筐体２の前面上方に配置する構成に限らず、例えばいわゆるタッチパネルにより構成しても良く、或いは受渡部４における第１出金部１３の上後方やその左右等、種々の箇所に配置しても良い。第１、第３及び第４の実施の形態についても同様である。
【０１１５】
さらに上述した第３の実施の形態においては、第２シャッタ２５３（図８）を左右方向に関して３分割し、その左右両外側を第２外側シャッタ２５３Ｔとして第２駆動モータ５５により開閉させる一方、中央の第２中央シャッタ２５３Ｃを手動で開閉させる場合について述べた。しかしながら本発明はこれに限らず、第２シャッタ５３を様々な方向に関して様々に分割し、その一部を第２駆動モータ５５により開閉させる一方、残りを手動で開閉させるようにしても良い。第４の実施の形態についても同様である。
【０１１６】
さらに上述した第３の実施の形態においては、第２出金部２１４のみ、第２シャッタ２５３を３分割して第２外側シャッタ２５３Ｔ及び第２中央シャッタ２５３Ｃとする場合について述べた。しかしながら本発明はこれに限らず、例えば第１出金部１３の第１シャッタを３分割しても良い。第４の実施の形態についても同様である。
【０１１７】
さらに上述した第１の実施の形態においては、第２出金部１４に光学センサでなる第２残留センサ５７を設ける場合について述べた。しかしながら本発明はこれに限らず、例えば超音波センサ等、他の種々のセンサを設けても良い。要は、第２集積空間５２における紙幣の有無を検出できれば良い。第２〜第４の実施の形態についても同様である。
【０１１８】
さらに上述した第１の実施の形態においては、第２残留センサ５７により第２集積空間５２に紙幣が収納されたことを検出したことを契機として、第２シャッタ５３を開放状態に遷移させる場合について述べた（図５、ステップＳＰ２１）。しかしながら本発明はこれに限らず、例えば搬送部２１における第２出金部１４の直前に配置されたセンサ（図示せず）により紙幣の搬送を検出したことや、或いは鑑別部２２において入金リジェクト紙幣と鑑別されたこと等を契機として、第２シャッタ５３を開放状態に遷移させても良い。特に、契機の発生から入金リジェクト紙幣が第２集積空間５２に収納されるまでにある程度の時間を要する場合、この契機の発生から所定時間の経過後に第２シャッタ５３を開放状態に遷移させても良い。第２〜第４の実施の形態についても同様である。
【０１１９】
さらに上述した第１の実施の形態においては、紙幣処理装置１に第１出金部１３及び第２出金部１４といった２個の出金部を設ける場合について述べた。しかしながら本発明はこれに限らず、紙幣処理装置１に１個又は３個以上の出金部を設けても良い。
【０１２０】
さらに上述した第１の実施の形態においては、入金部１２の入金カバー３１を使用者が手動で回動させることにより、開放状態又は閉塞状態に遷移させる場合について述べた（図２）。しかしながら本発明はこれに限らず、例えば第２出金部１４の第２シャッタ５３と同様に、制御部１１の制御に基づいて所定のモータやアクチュエータ等（図示せず）から供給される駆動力により、入金カバー３１を開放状態又は閉塞状態に遷移させるようにしても良い。第２〜第４の実施の形態についても同様である。
【０１２１】
さらに上述した第１の実施の形態においては、操作部１６を介した操作に基づき、使用者との間で入金取引等の各種取引を開始する場合について述べた。しかしながら本発明はこれに限らず、例えばコンピュータ装置やタッチパネルを搭載した操作パネル等でなる上位装置（図示せず）を紙幣処理装置１に接続し、使用者からの上位装置に対する操作指示を基に、該上位装置からの通知や指示等に基づいて入金取引等を開始しても良い。第２〜第４の実施の形態についても同様である。
【０１２２】
さらに上述した第１の実施の形態においては、媒体としての紙幣を取り扱う紙幣処理装置１の第２出金部１４に本発明を適用する場合について述べた。しかしながらこれに限らず、例えば各種証券や金券、或いは入場券のような紙葉状の媒体、若しくは種々の形状の媒体を取り扱う種々の装置において、当該媒体を排出する排出部に本発明を適用するようにしても良い。
【０１２３】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【０１２４】
さらに上述した第１の実施の形態においては、取込部としての入金部１２と、搬送部としての搬送部２１と、鑑別部としての鑑別部２２と、排出部としての第２出金部１４と、制御部としての制御部１１とによって媒体処理装置としての紙幣処理装置１を構成する場合について述べた。しかしながら本発明はこれに限らず、その他種々の構成でなる取込部と、搬送部と、鑑別部と、排出部と、制御部とによって媒体処理装置を構成しても良い。
【産業上の利用可能性】
【０１２５】
本発明は、例えば金融機関に設置される紙幣処理装置で利用できる。
【符号の説明】
【０１２６】
１、１０１、２０１、３０１……紙幣処理装置、１１、１１１、３１１……制御部、１２……入金部、１３、１１３……第１出金部、１４、１１４、２１４、３１４……第２出金部、２１……搬送部、２２……鑑別部、２４……紙幣収納庫、５１……第２放出部、５２……第２集積空間、５３、２５３……第２シャッタ、５４……第２回動軸、５５……第２駆動モータ、５７……第２残留センサ、１５５……第２ロックモータ、１６０……第２ロック部、１６１……第２ロック回動軸、１６２……第２ロック体、１６２Ｌ……ロック爪、１６３……第２ロックポスト、２５３Ｃ……第２中央シャッタ、２５３Ｔ……第２外側シャッタ、Ｙ……搬送路。
【図１】
2018205821.tif 000003
【図２】
2018205821.tif 000004
【図３】
2018205821.tif 000005
【図４】
2018205821.tif 000006
【図５】
2018205821.tif 000007
【図６】
2018205821.tif 000008
【図７】
2018205821.tif 000009
【図８】
2018205821.tif 000010
【図９】
2018205821.tif 000011